(57)【要約】【課題】現金処理システムが立ち上げに時間をかけることなく直ぐに利用可能となり、かつ、現金処理システムに余分な電力消費がかからないこと。【解決手段】現金処理システムは、筐体３９，４９と、貨幣を収納する貨幣収納部３６，４６と、信号を受けることなく所定時間が経過するとＯＦＦ状態になるスイッチ機構１２，２２と、スイッチ機構１２，２２をＯＮ状態およびＯＦＦ状態にする主電源スイッチ部５２，１９，２９と、を備えている。現金処理システムは、異常を検出したときにスイッチ機構１２，２２をＯＮ状態にする異常検出部１６，１７，２６と、異常情報が記憶される記憶部１０，２０と、をさらに備えている。現金処理システムの制御部１１，２１は、主電源スイッチ部５２からの信号に基づいて通電されたときに、記憶部１０，２０に異常情報が記憶されていない場合にはイニシャルリセット指示を出さない。【選択図】図２
2010186221.tif 000002
【特許請求の範囲】
【請求項１】
筐体と、
前記筐体内に設けられ、貨幣を収納する貨幣収納部と、
ＯＮ状態とＯＦＦ状態に切り換えられ、信号を受けることなく所定時間が経過するとＯＦＦ状態になるスイッチ機構と、
前記スイッチ機構をＯＮ状態にするＯＮ信号と、該スイッチ機構をＯＦＦ状態にするＯＦＦ信号を送信可能な主電源スイッチ部と、
異常を検出したときに、前記スイッチ機構をＯＮ状態にするＯＮ信号を送信可能な異常検出部と、
前記異常検出部から送信されたＯＮ信号に基づいて前記スイッチ機構がＯＮ状態になったときに、異常情報が記憶される記憶部と、
前記主電源スイッチ部から送信されたＯＮ信号に基づいて前記スイッチ機構がＯＮ状態になったときに、前記記憶部に異常情報が記憶されているかを確認し、該記憶部に異常情報が記憶されている場合はイニシャルリセット指示を出し、該記憶部に異常情報が記憶されていない場合はイニシャルリセット指示を出さない制御部と、
を備えたことを特徴とする現金処理システム。
【請求項２】
前記記憶部は、前記主電源スイッチ部からのＯＦＦ信号に基づき前記スイッチ機構がＯＦＦ状態になったときは、主電源ＯＦＦ情報を記憶し、
前記制御部は、前記記憶部に主電源ＯＦＦ情報が記憶されているかを確認し、該記憶部に主電源ＯＦＦ情報が記憶されている場合は異常情報が記憶されていない場合であっても、イニシャルリセット指示を出すことを特徴とする請求項１に記載の現金処理システム。
【請求項３】
前記制御部は、日付、時刻、または、前記スイッチ機構がＯＦＦ状態になってから経過した時間を確認することができ、該スイッチ機構がＯＦＦ状態になった日付と異なる日付でＯＮ信号を受けた場合、該スイッチ機構が所定の時刻でＯＮ信号を受けた場合、または、該スイッチ機構がＯＦＦ状態になってから所定の時間が経過してからＯＮ信号を受けた場合には、前記記憶部に異常情報が記憶されていない場合であっても、イニシャルリセット指示を出すことを特徴とする請求項１または２のいずれか１項に記載の現金処理システム。
【請求項４】
前記筐体には、開閉自在となった扉部または出入自在となった出入部が設けられ、
前記異常検出部は、前記扉部が開状態となったとき、または、前記出入部が引き出されたときに、前記スイッチ機構に該スイッチ機構をＯＮ状態にするＯＮ信号を送信することを特徴とする請求項１乃至３のいずれか１項に記載の現金処理システム。
【請求項５】
前記異常検出部は、前記筐体または前記貨幣収納部が所定の大きさ以上で振動したときに、前記スイッチ機構に該スイッチ機構をＯＮ状態にするＯＮ信号を送信することを特徴とする請求項１乃至４のいずれか１項に記載の現金処理システム。
【請求項６】
貨幣を処理する貨幣処理機と、
前記貨幣処理機を制御するターミナル部と、を備え、
前記ターミナル部は、スイッチ機構をＯＮ状態にするＯＮ信号と、該スイッチ機構をＯＦＦ状態にするＯＦＦ信号を送信可能な主電源スイッチ部を有し、
前記貨幣処理機は、筐体と、該筐体内に設けられ、貨幣を収納する貨幣収納部と、ＯＮ状態とＯＦＦ状態に切り換えられ、信号を受けることなく所定時間が経過するとＯＦＦ状態になるスイッチ機構と、異常を検出したときに、前記スイッチ機構をＯＮ状態にするＯＮ信号を送信可能な異常検出部と、前記異常検出部から送信されたＯＮ信号に基づいて前記スイッチ機構がＯＮ状態になったときに、異常情報が記憶される記憶部と、前記主電源スイッチ部から送信されたＯＮ信号に基づいて前記スイッチ機構がＯＮ状態になったときに、前記記憶部に異常情報が記憶されているかを確認し、該記憶部に異常情報が記憶されている場合はイニシャルリセット指示を出し、該記憶部に異常情報が記憶されていない場合はイニシャルリセット指示を出さない制御部と、を有することを特徴とする現金処理システム。
【請求項７】
現金処理システムを制御する現金処理システム制御方法において、
前記現金処理システムの異常検出部で異常を検出したときに、該現金処理システムのスイッチ機構をＯＮ状態にするＯＮ信号を送信する工程と、
前記異常検出部から送信されたＯＮ信号に基づいて前記スイッチ機構がＯＮ状態になったときに、前記現金処理システムの記憶部に異常情報を記憶させる工程と、
前記現金処理システムの主電源スイッチ部から送信されたＯＮ信号に基づいて前記スイッチ機構がＯＮ状態になったときに、制御部によって前記記憶部に異常情報が記憶されているかを確認する工程と、
前記記憶部に異常情報が記憶されている場合のみに、前記制御部がイニシャルリセット指示を出す工程と、
を備えたことを特徴とする現金処理システム制御方法。
【発明の詳細な説明】
【技術分野】
【０００１】
本発明は、筐体と、筐体内に設けられ貨幣を収納する貨幣収納部とを備えた現金処理システムと、当該現金処理システムを制御する現金処理システム制御方法に関する。
【背景技術】
【０００２】
従来から、扉を有し、所定金種の現金を収納する現金収納手段（貨幣収納部）と、この現金収納手段の扉がシステム電源のオフ中に開けられたことを検知して扉開情報を出力する扉開検知手段（異常検出部）と、この扉開検知手段から出力される扉開情報を記録する扉開情報記録手段（記憶部）と、システム電源の立ち上げ時に、扉開情報記録手段に記録されている扉開情報の有無を判定し、扉開情報の有りのとき、現金収納手段に対し、自己精査を実行させる制御手段（制御部）と、を備えた現金処理システムが知られている（特許文献１参照）。
【特許文献１】特開２０００−１６３６３１号公報
【発明の開示】
【発明が解決しようとする課題】
【０００３】
上述した特許文献１の現金処理システムは、システム電源の立ち上げ時に、扉開情報記録手段に記録されている扉開情報の有無を判定し、扉開情報が有るときに現金収納手段で自己精査を行うが、扉が開けられていないときでも、（自己精査は行わないが）イニシャルリセット動作が行われている。このため、立ち上げに時間がかかり直ぐに利用することができず、また、このようなイニシャルリセットを行うので余分な電力が消費されている。
【０００４】
本発明は、このような点を考慮してなされたものであり、立ち上げに時間をかけることなく直ぐに利用可能となり、余分な電力消費を抑える現金処理システムと、このような現金処理システムを制御する現金処理システム制御方法を提供することを目的とする。
【課題を解決するための手段】
【０００５】
本発明による現金処理システムの第１の態様は、
筐体と、
前記筐体内に設けられ、貨幣を収納する貨幣収納部と、
ＯＮ状態とＯＦＦ状態に切り換えられ、信号を受けることなく所定時間が経過するとＯＦＦ状態になるスイッチ機構と、
前記スイッチ機構をＯＮ状態にするＯＮ信号と、該スイッチ機構をＯＦＦ状態にするＯＦＦ信号を送信可能な主電源スイッチ部と、
異常を検出したときに、前記スイッチ機構をＯＮ状態にするＯＮ信号を送信可能な異常検出部と、
前記異常検出部から送信されたＯＮ信号に基づいて前記スイッチ機構がＯＮ状態になったときに、異常情報が記憶される記憶部と、
前記主電源スイッチ部から送信されたＯＮ信号に基づいて前記スイッチ機構がＯＮ状態になったときに、前記記憶部に異常情報が記憶されているかを確認し、該記憶部に異常情報が記憶されている場合はイニシャルリセット指示を出し、該記憶部に異常情報が記憶されていない場合はイニシャルリセット指示を出さない制御部と、
を備えている。
【０００６】
本発明による現金処理システムの第１の態様において、
前記記憶部は、前記主電源スイッチ部からのＯＦＦ信号に基づき前記スイッチ機構がＯＦＦ状態になったときは、主電源ＯＦＦ情報を記憶し、
前記制御部は、前記記憶部に主電源ＯＦＦ情報が記憶されているかを確認し、該記憶部に主電源ＯＦＦ情報が記憶されている場合は異常情報が記憶されていない場合であっても、イニシャルリセット指示を出すことが好ましい。
【０００７】
本発明による現金処理システムの第１の態様において、
前記制御部は、日付、時刻、または、前記スイッチ機構がＯＦＦ状態になってから経過した時間を確認することができ、該スイッチ機構がＯＦＦ状態になった日付と異なる日付でＯＮ信号を受けた場合、該スイッチ機構が所定の時刻でＯＮ信号を受けた場合、または、該スイッチ機構がＯＦＦ状態になってから所定の時間が経過してからＯＮ信号を受けた場合には、前記記憶部に異常情報が記憶されていない場合であっても、イニシャルリセット指示を出すことが好ましい。
【０００８】
本発明による現金処理システムの第１の態様において、
前記筐体には、開閉自在となった扉部または出入自在となった出入部が設けられ、
前記異常検出部は、前記扉部が開状態となったとき、または、前記出入部が引き出されたときに、前記スイッチ機構に該スイッチ機構をＯＮ状態にするＯＮ信号を送信することが好ましい。
【０００９】
本発明による現金処理システムの第１の態様において、
前記異常検出部は、前記筐体または前記貨幣収納部が所定の大きさ以上で振動したときに、前記スイッチ機構に該スイッチ機構をＯＮ状態にするＯＮ信号を送信することが好ましい。
【００１０】
本発明による現金処理システムの第２の態様は、
貨幣を処理する貨幣処理機と、
前記貨幣処理機を制御するターミナル部と、を備え、
前記ターミナル部は、スイッチ機構をＯＮ状態にするＯＮ信号と、該スイッチ機構をＯＦＦ状態にするＯＦＦ信号を送信可能な主電源スイッチ部を有し、
前記貨幣処理機が、筐体と、該筐体内に設けられ、貨幣を収納する貨幣収納部と、ＯＮ状態とＯＦＦ状態に切り換えられ、信号を受けることなく所定時間が経過するとＯＦＦ状態になるスイッチ機構と、異常を検出したときに、前記スイッチ機構をＯＮ状態にするＯＮ信号を送信可能な異常検出部と、前記異常検出部から送信されたＯＮ信号に基づいて前記スイッチ機構がＯＮ状態になったときに、異常情報が記憶される記憶部と、前記主電源スイッチ部から送信されたＯＮ信号に基づいて前記スイッチ機構がＯＮ状態になったときに、前記記憶部に異常情報が記憶されているかを確認し、該記憶部に異常情報が記憶されている場合はイニシャルリセット指示を出し、該記憶部に異常情報が記憶されていない場合はイニシャルリセット指示を出さない制御部と、を有している。
【００１１】
本発明による現金処理システム制御方法は、
現金処理システムを制御する現金処理システム制御方法において、
前記現金処理システムの異常検出部で異常を検出したときに、該現金処理システムのスイッチ機構をＯＮ状態にするＯＮ信号を送信する工程と、
前記異常検出部から送信されたＯＮ信号に基づいて前記スイッチ機構がＯＮ状態になったときに、前記現金処理システムの記憶部に異常情報を記憶させる工程と、
前記現金処理システムの主電源スイッチ部から送信されたＯＮ信号に基づいて前記スイッチ機構がＯＮ状態になったときに、制御部によって前記記憶部に異常情報が記憶されているかを確認する工程と、
前記記憶部に異常情報が記憶されている場合のみに、前記制御部がイニシャルリセット指示を出す工程と、
を備えている。
【発明の効果】
【００１２】
本発明によれば、制御部が、主電源スイッチ部から送信されたＯＮ信号に基づいてスイッチ機構がＯＮ状態になったときに、記憶部に異常情報が記憶されているかを確認し、記憶部に異常情報が記憶されている場合はイニシャルリセット指示を出し、記憶部に異常情報が記憶されていない場合はイニシャルリセット指示を出さない。このため、記憶部に異常情報が記憶されていない場合に、現金処理システムを立ち上げに時間をかけることなく直ぐに利用することができ、かつ、現金処理システムでの余分な電力消費を抑えることができる。
【発明を実施するための形態】
【００１３】
実施の形態
以下、本発明に係る現金処理システムと当該現金処理システムを制御する制御方法の実施の形態について、図面を参照して説明する。ここで、図１乃至図４は本発明の実施の形態を示す図である。
【００１４】
図１および図２に示すように、現金処理システムは、硬貨を処理する硬貨処理機３０と、紙幣を処理する紙幣処理機４０と、これら硬貨処理機３０および紙幣処理機４０を制御するターミナル部５０と、を備えている。ここで、硬貨処理機３０と紙幣処理機４０によって、貨幣を処理する貨幣処理機が構成されている。なお、本願において、貨幣とは、硬貨および紙幣の両方を意味している。また、ターミナル部５０は、硬貨処理機３０または紙幣処理機４０と一体であっても別体であってもよい。
【００１５】
図１に示すように、硬貨処理機３０は、硬貨筐体３９と、硬貨を受け付ける硬貨受入部３１と、硬貨受入部３１に連結され、硬貨受入部３１に受け付けられた硬貨を搬送する硬貨入金搬送機構３４ａと、硬貨入金搬送機構３４ａに設けられ、硬貨入金搬送機構３４ａ上を搬送される硬貨を識別する硬貨識別部３３と、硬貨入金搬送機構３４ａに設けられ、硬貨を金種別に一時保留する硬貨一時保留部３５と、硬貨一時保留部３５の下方に設けられ、金種別に硬貨を収納する金種別硬貨収納庫３６と、を備えている。
【００１６】
また、図１に示すように、硬貨入金搬送機構３４ａの端部には、入金時に識別異常や搬送異常が発生した場合に搬送される硬貨リジェクト部３２が設けられている。また、金種別硬貨収納庫３６の下方には、金種別硬貨収納庫３６から出金された硬貨と、金種別硬貨収納庫３６に収納されずに硬貨一時保留部３５から直接受け取った硬貨を搬送する硬貨出金搬送機構３４ｂが設けられている。そして、この硬貨出金搬送機構３４ｂは、金種別硬貨収納庫３６から出金された硬貨を硬貨出金箱３７に搬送し、金種別硬貨収納庫３６に収納されず硬貨一時保留部３５から直接受け取った硬貨を入金硬貨返却箱３８に搬送する。なお、硬貨出金箱３７と入金硬貨返却箱３８は出入自在になっており（図１の矢印参照）、出入部を構成している。
【００１７】
また、図１に示すように、紙幣処理機４０は、紙幣筐体４９と、紙幣を受け付ける紙幣受入部４１と、紙幣受入部４１に連結され、紙幣受入部４１に受け付けられた紙幣を搬送する紙幣搬送機構４４と、紙幣搬送機構４４に設けられ、紙幣搬送機構４４上を搬送される紙幣を識別する紙幣識別部４３と、紙幣搬送機構４４の端部に連結され、紙幣識別部４３による識別結果に基づいて金種別に紙幣を収納する金種別紙幣収納庫４６と、を備えている。また、紙幣搬送機構４４の端部には、入金時に識別異常や搬送異常が発生した紙幣と、出金時に金種別紙幣収納庫４６から出金された紙幣の両方が搬送される紙幣投出口４２が設けられている。また、紙幣搬送機構４４の端部には、出金時に識別異常や搬送異常が発生した紙幣が搬送される紙幣リジェクト出金箱４７が設けられている。なお、紙幣リジェクト出金箱４７は通常施錠されているが、開錠されれば出入自在になっており（図１の矢印参照）、出入部を構成している。
【００１８】
また、図２に示すように、硬貨筐体３９内には、ＯＮ状態とＯＦＦ状態に切り換えられ、ＯＮ状態となったときには硬貨処理機３０を通電状態とし、ＯＦＦ状態となったときには硬貨処理機３０を電断状態にする硬貨スイッチ機構１２が設けられている（なお、図２に示す矢印は、情報の流れる方向を示している）。
【００１９】
また、同様に、紙幣筐体４９内には、ＯＮ状態とＯＦＦ状態に切り換えられ、ＯＮ状態となったときには紙幣処理機４０を通電状態とし、ＯＦＦ状態となったときには紙幣処理機４０を電断状態にする紙幣スイッチ機構２２が設けられている。なお、これら硬貨スイッチ機構１２と紙幣スイッチ機構２２の各々は、信号を受けることなく所定時間が経過するとＯＦＦ状態になるように構成されている。
【００２０】
また、図２に示すように、ターミナル部５０は、硬貨スイッチ機構１２および紙幣スイッチ機構２２の各々をＯＮ状態にするＯＮ信号と、これら硬貨スイッチ機構１２および紙幣スイッチ機構２２の各々をＯＦＦ状態にするＯＦＦ信号を送信可能な主電源スイッチ部５２を有している。
【００２１】
また、図２に示すように、硬貨出金箱３７と入金硬貨返却箱３８には、硬貨出金箱３７または入金硬貨返却箱３８が引き出されたときに、硬貨スイッチ機構１２に当該硬貨スイッチ機構１２をＯＮ状態にするＯＮ信号を送信する硬貨出入検出部１６が設けられている。
【００２２】
また、同様に、紙幣リジェクト出金箱４７には、紙幣リジェクト出金箱４７が引き出されたときに、紙幣スイッチ機構２２に当該紙幣スイッチ機構２２をＯＮ状態にするＯＮ信号を送信する紙幣出入検出部２６が設けられている。
【００２３】
また、図２に示すように、硬貨筐体３９内には、硬貨筐体３９と金種別硬貨収納庫３６に接続された硬貨振動検出部１７が設けられている。そして、この硬貨振動検出部１７は、硬貨筐体３９または金種別硬貨収納庫３６が所定の大きさ以上で振動したときに、硬貨スイッチ機構１２に当該硬貨スイッチ機構１２をＯＮ状態にするＯＮ信号を送信するように構成されている。
【００２４】
また、同様に、紙幣筐体４９内には、紙幣筐体４９と金種別紙幣収納庫４６に接続された紙幣振動検出部２７が設けられている。そして、この紙幣振動検出部２７は、紙幣筐体４９または金種別紙幣収納庫４６が所定の大きさ以上で振動したときに、紙幣スイッチ機構２２に当該紙幣スイッチ機構２２をＯＮ状態にするＯＮ信号を送信するように構成されている。
【００２５】
なお、本実施の形態では、上述した硬貨出入検出部１６、紙幣出入検出部２６、硬貨振動検出部１７および紙幣振動検出部２７が、現金処理システムの異常を検出する異常検出部を構成している。
【００２６】
また、図２に示すように、硬貨出入検出部１６および硬貨振動検出部１７には硬貨制御部１１が接続されている。また、硬貨制御部１１には硬貨記憶部１０が接続されている。そして、硬貨制御部１１は、硬貨出入検出部１６または硬貨振動検出部１７から硬貨スイッチ機構１２にＯＮ信号が送信されたときには、当該ＯＮ信号に基づいて、硬貨記憶部１０に異常情報を記憶するように構成されている。
【００２７】
また、同様に、紙幣出入検出部２６および紙幣振動検出部２７には紙幣制御部２１が接続されている。また、紙幣制御部２１には紙幣記憶部２０が接続されている。そして、紙幣制御部２１は、紙幣出入検出部２６または紙幣振動検出部２７から紙幣スイッチ機構２２にＯＮ信号が送信されたときには、当該ＯＮ信号に基づいて、紙幣記憶部２０に異常情報を記憶するように構成されている。
【００２８】
本実施の形態において、硬貨制御部１１は、主電源スイッチ部５２から送信されたＯＮ信号に基づいて硬貨スイッチ機構１２がＯＮ状態になったときには、硬貨記憶部１０に異常情報が記憶されているかを確認し、硬貨記憶部１０に異常情報が記憶されている場合にはイニシャルリセット指示を出し、他方、硬貨記憶部１０に異常情報が記憶されていない場合にはイニシャルリセット指示を出さないように構成されている。
【００２９】
また、同様に、紙幣制御部２１は、主電源スイッチ部５２から送信されたＯＮ信号に基づいて紙幣スイッチ機構２２がＯＮ状態になったときには、紙幣記憶部２０に異常情報が記憶されているかを確認し、紙幣記憶部２０に異常情報が記憶されている場合にはイニシャルリセット指示を出し、他方、紙幣記憶部２０に異常情報が記憶されていない場合にはイニシャルリセット指示を出さないように構成されている。
【００３０】
なお、本願においてイニシャルリセットとは、動作を安定させるために、硬貨処理機３０では、硬貨識別部３３の各センサを補正したり、硬貨一時保留部３５の位置を所定の位置に戻したり、硬貨入金搬送機構３４ａおよび硬貨出金搬送機構３４ｂの動作を確認したりすることを意味し、紙幣処理機４０では、紙幣識別部４３の各センサを補正したり、紙幣搬送機構４４の動作を確認したりすることを意味している。
【００３１】
また、硬貨制御部１１は、主電源スイッチ部５２からのＯＦＦ信号に基づき硬貨スイッチ機構１２がＯＦＦ状態になったときには、硬貨記憶部１０に主電源ＯＦＦ情報を記憶させる。そして、硬貨制御部１１は、主電源ＯＦＦ情報が記憶されている場合には、硬貨記憶部１０に異常情報が記憶されていない場合であっても、主電源スイッチ部５２からのＯＮ信号を受けて硬貨スイッチ機構１２がＯＮ状態になったときにイニシャルリセット指示を出すように構成されている。
【００３２】
また、同様に、紙幣制御部２１は、主電源スイッチ部５２からのＯＦＦ信号に基づき紙幣スイッチ機構２２がＯＦＦ状態になったときには、紙幣記憶部２０に主電源ＯＦＦ情報を記憶させる。そして、紙幣制御部２１は、主電源ＯＦＦ情報が記憶されている場合には、紙幣記憶部２０に異常情報が記憶されていない場合であっても、主電源スイッチ部５２からのＯＮ信号を受けて紙幣スイッチ機構２２がＯＮ状態になったときにイニシャルリセット指示を出すように構成されている。
【００３３】
また、硬貨制御部１１は、日付、時刻および硬貨スイッチ機構１２がＯＦＦ状態になってから経過した時間を確認することができるように構成されている。そして、硬貨スイッチ機構１２がＯＦＦ状態になった日付と異なる日付で主電源スイッチ部５２からＯＮ信号を受けた場合（例えば、１２月１７日にＯＦＦ状態となったが１２月１８日にＯＮ信号を受けた場合）、硬貨スイッチ機構１２が所定の時刻（例えば、午前０時から午前９時まで）で主電源スイッチ部５２からＯＮ信号を受けた場合、または、硬貨スイッチ機構１２がＯＦＦ状態になってから所定の時間（例えば、８時間以上）が経過してから主電源スイッチ部５２からＯＮ信号を受けた場合には、硬貨記憶部１０に異常情報が記憶されていない場合であっても、イニシャルリセット指示を出すように構成されている。
【００３４】
また、同様に、紙幣制御部２１は、日付、時刻および紙幣スイッチ機構２２がＯＦＦ状態になってから経過した時間を確認することができるように構成されている。そして、紙幣スイッチ機構２２がＯＦＦ状態になった日付と異なる日付で主電源スイッチ部５２からＯＮ信号を受けた場合、紙幣スイッチ機構２２が所定の時刻で主電源スイッチ部５２からＯＮ信号を受けた場合、または、紙幣スイッチ機構２２がＯＦＦ状態になってから所定の時間が経過してから主電源スイッチ部５２からＯＮ信号を受けた場合には、紙幣記憶部２０に異常情報が記憶されていない場合であっても、イニシャルリセット指示を出すように構成されている。
【００３５】
ところで、本実施の形態では、硬貨出金箱３７、入金硬貨返却箱３８および紙幣リジェクト出金箱４７といった出入部にスイッチ機構１２，２２が接続されている態様を用いて説明するが、これに限られることはない。例えば、硬貨筐体３９に開閉自在な硬貨扉部が設けられ、当該硬貨扉部が開状態になったときに硬貨スイッチ機構１２に当該硬貨スイッチ機構１２をＯＮ状態にするＯＮ信号を送信する硬貨開閉検出部が接続され、同様に、紙幣筐体４９に開閉自在な紙幣扉部が設けられ、当該紙幣扉部が開状態になったときに紙幣スイッチ機構２２に当該紙幣スイッチ機構２２をＯＮ状態にするＯＮ信号を送信する紙幣開閉検出部が接続されるような態様であってもよい。
【００３６】
次に、このような構成からなる本実施の形態の作用効果について述べる。
【００３７】
通常、硬貨処理機３０および紙幣処理機４０はともに、電源ＯＮ時には、イニシャルリセットを行う。本実施の形態による発明は、自動的に電源をＯＦＦする機能により電源がＯＦＦされ、その後、電源がＯＮされる際に、特徴を発揮する。
【００３８】
以下では、硬貨処理機３０についてのみ記載するが、紙幣処理機４０は上述のように硬貨処理機３０と同様の構成を有しているので、紙幣処理機４０についても同様の作用効果を達成することができる。
【００３９】
（異常情報の記憶）
まず、硬貨記憶部１０に異常情報が記憶される場合について説明する。
【００４０】
本実施の形態の硬貨スイッチ機構１２は、所定時間の間、主電源スイッチ部５２、硬貨出入検出部１６または硬貨振動検出部１７などの外部から信号を受けることがなければ、ＯＦＦ状態となり、この結果、硬貨処理機３０は電断状態となる。このため、本実施の形態によれば、硬貨処理機３０で使用される電力量を削減することができる。
【００４１】
上述のような電断状態において、硬貨出金箱３７または入金硬貨返却箱３８が引き出されると（図１の矢印、参照）、硬貨出入検出部１６から硬貨スイッチ機構１２に、当該硬貨スイッチ機構１２をＯＮ状態にするＯＮ信号が送信される（図２参照）。このとき、硬貨制御部１１によって、硬貨出入検出部１６から硬貨スイッチ機構１２に送信されたＯＮ信号に基づいて、硬貨記憶部１０に異常情報が記憶される。
【００４２】
また、電断状態において、硬貨筐体３９または金種別硬貨収納庫３６が所定の大きさ以上で振動すると、硬貨振動検出部１７から硬貨スイッチ機構１２に、当該硬貨スイッチ機構１２をＯＮ状態にするＯＮ信号が送信される（図２参照）。このときも、硬貨制御部１１によって、硬貨振動検出部１７から硬貨スイッチ機構１２に送信されたＯＮ信号に基づいて、硬貨記憶部１０に異常情報が記憶される。
【００４３】
なお、上述のように、硬貨出入検出部１６または硬貨振動検出部１７から硬貨スイッチ機構１２にＯＮ信号が送信されると、硬貨スイッチ機構１２がＯＮ状態となり、硬貨処理機３０が通電されることとなる。
【００４４】
（主電源スイッチ部５２による駆動開始）
次に、主電源スイッチ部５２から送信されるＯＮ信号に基づいて、硬貨スイッチ機構１２がＯＮ状態となり、硬貨処理機３０が待機状態となる場合（通常運転状態になる場合）について説明する。
【００４５】
まず、主電源スイッチ部５２が押下されるなどして、主電源スイッチがＯＮ状態となる。そして、主電源スイッチ部５２から硬貨スイッチ機構１２にＯＮ信号が送信される（図２および図３の符号９１、参照）。このように硬貨スイッチ機構１２にＯＮ信号が送信されると、硬貨スイッチ機構１２がＯＮ状態となる（図３の符号９２、参照）。
【００４６】
次に、硬貨制御部１１によって、硬貨記憶部１０に異常情報が記憶されているかが確認される（図２および図３の符号９３、参照）。
【００４７】
ここで、硬貨制御部１１によって、硬貨記憶部１０に異常情報が記憶されていることが確認された場合には、当該硬貨制御部１１はイニシャルリセット指示を出し、硬貨処理機３０がイニシャルリセットされた後で、待機状態となる（図３の符号９６，９７、参照）。
【００４８】
他方、硬貨制御部１１によって、硬貨記憶部１０に異常情報が記憶されていることが確認されなかった場合であって、後述するような条件に当てはまらないときには（すなわち、主電源スイッチ部５２からのＯＦＦ信号に基づき硬貨スイッチ機構１２がＯＦＦ状態になった場合、ＯＦＦ状態になった日付と異なる日付で主電源スイッチ部５２からＯＮ信号を受けた場合、所定の時刻で主電源スイッチ部５２からＯＮ信号を受けた場合、および、ＯＦＦ状態になってから所定の時間が経過してから主電源スイッチ部５２からＯＮ信号を受けた場合のいずれにも当てはまらなかったときには）、当該硬貨制御部１１からイニシャルリセット指示は出されず、硬貨処理機３０はすぐに待機状態となる（図３の符号９４，９５，９７、参照）。
【００４９】
このように、本実施の形態では、硬貨記憶部１０に異常情報が記憶されていない場合であって後述するような条件にも当てはまらなかった場合には、硬貨制御部１１からイニシャルリセット指示が出されない。このため、硬貨処理機３０は、イニシャルリセットを行わず、直ぐに待機状態となる。
【００５０】
この結果、硬貨処理機３０の立ち上げに時間をかけることなく、直ぐに硬貨処理機３０が利用可能となる。また、このようにイニシャルリセットを行わないので、イニシャルリセットに利用される余分な電力消費を抑えることができる。
【００５１】
すなわち、特許文献１に記載されているような従来の現金処理システムでは、システム電源の立ち上げ時に、扉が開けられていないときでも、イニシャルリセット動作が行われる。このため、現金処理システムの立ち上げに時間がかかり直ぐに利用することができず、また、このようなイニシャルリセットを行うので余分な電力が消費されている。
【００５２】
これに対して、本実施の形態によれば、硬貨記憶部１０に異常情報が記憶されていない場合であって後述するような条件にも当てはまらなかった場合には硬貨処理機３０のイニシャルリセットが行われないので、硬貨処理機３０の立ち上げに時間をかけることなく直ぐに硬貨処理機３０が利用可能となり、かつ、イニシャルリセットに利用される余分な電力消費を抑えることができる。
【００５３】
（イニシャルリセット指示を強制的に出す場合）
次に、本実施の形態において、硬貨記憶部１０に異常情報が記憶されていない場合であっても、硬貨制御部１１からイニシャルリセット指示が出される場合について説明する。
【００５４】
本実施の形態では、主電源スイッチ部５２からのＯＦＦ信号に基づき硬貨スイッチ機構１２がＯＦＦ状態になったときには、硬貨制御部１１によって、硬貨記憶部１０に主電源ＯＦＦ情報が記憶される（図２参照）。そして、このように硬貨記憶部１０に主電源ＯＦＦ情報が記憶されている場合には、硬貨記憶部１０に異常情報が記憶されていない場合であっても、硬貨制御部１１からはイニシャルリセット指示が出される（図３の符号９４、参照）。このため、硬貨処理機３０は、イニシャルリセットされた後で待機状態となる。
【００５５】
このように、主電源スイッチ部５２からのＯＦＦ信号に基づき硬貨スイッチ機構１２がＯＦＦ状態になったときには、異常情報の有無にかかわらず硬貨処理機３０がイニシャルリセットされるので、硬貨処理機３０の動作を安定させることができる。
【００５６】
すなわち、硬貨処理機３０の動作を安定させるためには、定期的にイニシャルリセットを行う必要があるが、異常情報が記憶されていない場合には、長時間にわたりイニシャルリセットが行われない可能性がある。
【００５７】
この点、本実施の形態では、一般に長時間使用されない場合には主電源スイッチによって硬貨処理機３０がＯＦＦ状態とされることに着目し、主電源スイッチ部５２からのＯＦＦ信号に基づき硬貨スイッチ機構１２がＯＦＦ状態になったときには、主電源スイッチ部５２からのＯＮ信号によって硬貨処理機３０が通電されるときに強制的にイニシャルリセットが行われる。このため、長時間にわたりイニシャルリセットが行われないことを防止することができ、ひいては、硬貨処理機３０の動作を安定させることができる。
【００５８】
また、本実施の形態では、硬貨制御部１１によって、日付、時刻および硬貨スイッチ機構１２がＯＦＦ状態になってから経過した時間を確認することができる。
【００５９】
そして、硬貨スイッチ機構１２がＯＦＦ状態になった日付と異なる日付で主電源スイッチ部５２からＯＮ信号を受けた場合（例えば、１２月１７日にＯＦＦ状態となったが１２月１８日にＯＮ信号を受けた場合）には、硬貨記憶部１０に異常情報が記憶されていない場合であっても、硬貨制御部１１からイニシャルリセット指示が出される（図３の符号９５、参照）。
【００６０】
また、硬貨スイッチ機構１２が所定の時刻（例えば、午前０時から午前９時まで）で主電源スイッチ部５２からＯＮ信号を受けた場合にも、同様に、硬貨記憶部１０に異常情報が記憶されていない場合であっても、硬貨制御部１１からイニシャルリセット指示が出される（図３の符号９５、参照）。
【００６１】
さらに、硬貨スイッチ機構１２がＯＦＦ状態になってから所定の時間（例えば、８時間以上）が経過してから主電源スイッチ部５２からＯＮ信号を受けた場合にも、同様に、硬貨記憶部１０に異常情報が記憶されていない場合であっても、硬貨制御部１１からイニシャルリセット指示が出される（図３の符号９５、参照）。
【００６２】
これらのことからも、やはり、長時間にわたりイニシャルリセットが行われないことを防止することができ、ひいては、硬貨処理機３０の動作を安定させることができる。
【００６３】
ところで、上記では、ターミナル部５０に、硬貨スイッチ機構１２および紙幣スイッチ機構２２の各々をＯＮ状態にするＯＮ信号と、硬貨スイッチ機構１２および紙幣スイッチ機構２２の各々をＯＦＦ状態にするＯＦＦ信号を送信可能な主電源スイッチ部５２を有する態様を用いて説明した（図２参照）。
【００６４】
しかしながら、これに限られることなく、図４に示すように、硬貨処理機３０が、硬貨スイッチ機構１２をＯＮ状態にするＯＮ信号と硬貨スイッチ機構１２をＯＦＦ状態にするＯＦＦ信号を送信可能な主電源硬貨スイッチ部１９を有し、同様に、紙幣処理機４０が、紙幣スイッチ機構２２をＯＮ状態にするＯＮ信号と紙幣スイッチ機構２２をＯＦＦ状態にするＯＦＦ信号を送信可能な主電源紙幣スイッチ部２９を有する態様を用いてもよい。また、硬貨処理機３０に、硬貨スイッチ機構１２および紙幣スイッチ機構２２の各々をＯＮ状態にするＯＮ信号と、硬貨スイッチ機構１２および紙幣スイッチ機構２２の各々をＯＦＦ状態にするＯＦＦ信号を送信可能な主電源スイッチ部１９を有する態様でもよく、他方、紙幣処理機４０に、硬貨スイッチ機構１２および紙幣スイッチ機構２２の各々をＯＮ状態にするＯＮ信号と、硬貨スイッチ機構１２および紙幣スイッチ機構２２の各々をＯＦＦ状態にするＯＦＦ信号を送信可能な主電源スイッチ部２９を有する態様でもよい（図示せず）。
【００６５】
このような態様であっても、硬貨処理機３０の立ち上げに時間をかけることなく直ぐに硬貨処理機３０が利用可能となり、かつ、イニシャルリセットに利用される余分な電力消費を抑えることができる、といったような上述した態様と同様の作用効果を達成することができる。
【図面の簡単な説明】
【００６６】
【図１】本発明の実施の形態による現金処理システムの物理的な構成を示す概略図。
【図２】本発明の実施の形態による現金処理システムの電気的な構成を示す概略図。
【図３】本発明の実施の形態による現金処理システムを制御する方法を示したフロー図。
【図４】本発明の実施の形態の変形例による現金処理システムの電気的な構成を示す概略図。
【符号の説明】
【００６７】
１０      硬貨記憶部（記憶部）
１１      硬貨制御部（制御部）
１２      硬貨スイッチ機構（スイッチ機構）
１６      硬貨出入検出部（異常検出部）
１７      硬貨振動検出部（異常検出部）
１９      主電源硬貨スイッチ部（主電源スイッチ部）
２０      紙幣記憶部（記憶部）
２１      紙幣制御部（制御部）
２２      紙幣スイッチ機構（スイッチ機構）
２６      紙幣出入検出部（異常検出部）
２７      紙幣振動検出部（異常検出部）
２９      主電源紙幣スイッチ部（主電源スイッチ部）
３０      硬貨処理機
３６      金種別硬貨収納庫（貨幣収納部）
３７      硬貨出金箱（出入部）
３８      入金硬貨返却箱（出入部）
３９      硬貨筐体（筐体）
４０      紙幣処理機
４２      紙幣投出口
４６      金種別紙幣収納庫（貨幣収納部）
４７      紙幣リジェクト出金箱（出入部）
４９      紙幣筐体（筐体）
５０      ターミナル部
５２      主電源スイッチ部
【図１】
2010186221.tif 000003
【図２】
2010186221.tif 000004
【図３】
2010186221.tif 000005
【図４】
2010186221.tif 000006